(57)【要約】【課題】登録作業時におけるオペレータの心理的・肉体的な作業負担をより軽減することができる商品データ入力装置を提供する。【解決手段】ＣＣＤカメラ１０５から取得した画像に含まれるフィンガーサインが、予め登録されたアーティクルサインに該当するフィンガーサインであるか否かを判定し、予め登録されたアーティクルサインに該当するフィンガーサインであると判定した場合、当該フィンガーサインが表すＰＬＵコードを、ハブ１０４を介して外部ＰＯＳ端末に送信することにより、スーパーマーケット等の店頭などにおいて、産地直送などの理由によりバーコードが印刷または添付されていない商品が多数存在する場合に、それらの商品の登録作業をＰＬＵ入力キー１１０またはプリセットＰＬＵキー１１３の押下により行う必要がなくなるので、登録作業時におけるオペレータの心理的・肉体的な作業負担を軽減することができる。【選択図】図２
2010211735.tif 000002
【特許請求の範囲】
【請求項１】
商品と価格とを商品識別データに対応付けた商品データテーブルを用いて商品データの処理を行う上位機器に対して前記商品識別データを送信する商品データ入力装置であって、
自装置を操作するオペレータの手を含む画像を撮影する撮影手段と、
撮影した画像に含まれる手の手形状が、前記商品識別データを表す手形状であるか否かを判定する判定手段と、
撮影した画像に含まれる前記手形状が前記商品識別データを表す前記手形状であると判定した場合、前記手形状が表す前記商品識別データを前記上位機器に送信する送信手段と、
を備えたことを特徴とする商品データ入力装置。
【請求項２】
前記商品識別データを表す前記手形状であると判定した際に報知音を発する出力手段をさらに備えたことを特徴とする請求項１に記載の商品データ入力装置。
【請求項３】
前記出力手段は、前記商品識別データを表す前記手形状であると判定したことを知らせる音声である前記報知音を発することを特徴とする請求項２に記載の商品データ入力装置。
【請求項４】
前記出力手段は、前記商品識別データを表す前記手形状であると判定した前記手形状に従って前記報知音を変更することを特徴とする請求項２または３に記載の商品データ入力装置。
【請求項５】
前記判定手段は、前記商品識別データを表す前記手形状であるか否かを判定する第１モードと前記商品識別データを表す前記手形状であるか否かを判定しない第２モードの間で遷移し、前記第１モードに遷移した場合のみ、前記商品識別データを表す前記手形状であるか否かを判定することを特徴とする請求項１から４のいずれか一に記載の商品データ入力装置。
【請求項６】
前記判定手段は、
前記第２モードに遷移した場合、前記撮影手段により撮影した画像に含まれる前記手形状が、前記第１モードへの遷移を表す前記手形状であるか否かを判定し、
前記第１モードへの遷移を表す前記手形状であると判定した場合、前記第１モードへ遷移することを特徴とする請求項５に記載の商品データ入力装置。
【請求項７】
前記判定手段は、撮影した画像に含まれる前記手形状から、前記商品識別データを表す前記手形状であって、手話で用いられる指文字であるか否かを判定することを特徴とする請求項１から６のいずれか一に記載の商品データ入力装置。
【発明の詳細な説明】
【技術分野】
【０００１】
本発明は、スーパーマーケット等の精算業務に用いられる商品データ入力装置に関する。
【背景技術】
【０００２】
スーパーマーケット等の店頭で用いられ、ＰＯＳ（Point  Of  Sale）端末と通信可能な商品データ入力装置は、一般的に、商品を示すバーコードを読み取るバーコードリーダ、ＰＯＳ端末と通信可能な状態で接続され、当該ＰＯＳ端末のＧＵＩ（Graphical  User  Interface）として機能するタッチパネル、およびバーコードの入力に関連する情報を入力するための置数キー、それぞれ異なるＰＬＵ（Price  Look  Up）コードがプリセットされた複数のプリセットＰＬＵキー、小計キー、現計キー、ＰＬＵコードを手入力するＰＬＵ入力キーなどを備えたキーボードを備えて構成されている。オペレータは、顧客が持ち込んだ商品に付されたバーコードを順次、商品データ入力装置が備えるバーコードリーダに読み取らせることにより商品登録業務を行う。そして、オペレータは、全ての商品の登録が完了すると、キーボードが備える小計キーを押下して商品登録業務を締めて、次の会計業務を遂行する（特許文献１参照）。
【発明の概要】
【発明が解決しようとする課題】
【０００３】
ところで、スーパーマーケット等の店頭には、産地直送などの理由によりバーコードが印刷または添付されていない商品が存在する。このようなバーコードが印刷または添付されていない商品が精算所に持ち込まれた場合、オペレータは、キーボードが備えるプリセットＰＬＵキーやＰＬＵ入力キーを押下することにより商品の登録を行う。
【０００４】
しかし、キーボードが備えるプリセットＰＬＵキーやＰＬＵ入力キーを使用した商品の登録は、バーコードの読み取りによる通常の登録作業とはかけ離れた動作をオペレータに強いるため、オペレータに心理的・肉体的な作業負担を与える、という課題がある。詳細には、バーコードの読み取りによる通常の登録作業時には、オペレータの視線は商品およびバーコードリーダの周辺部にあり、商品を持つ手の高さもバーコードリーダの窓面を中心とした高さ周辺にある。一方、キーボードが備えるプリセットＰＬＵキーやＰＬＵ入力キーの操作時には、オペレータの視線はキーボードへと移り、かつオペレータの手の高さもキーボードの高さまで動かさなければならない。このような不規則な動作は、長時間登録作業を続けるオペレータには大きな心理的・肉体的な負担となっていた。
【０００５】
本発明は、上記に鑑みてなされたものであって、登録作業時におけるオペレータの心理的・肉体的な作業負担を軽減することができる商品データ入力装置を提供することを目的とする。
【課題を解決するための手段】
【０００６】
上述した課題を解決し、目的を達成するために、本発明は、商品と価格とを商品識別データに対応付けた商品データテーブルを用いて商品データの処理を行う上位機器に対して前記商品識別データを送信する商品データ入力装置であって、自装置を操作するオペレータの手を含む画像を撮影する撮影手段と、撮影した画像に含まれる手の手形状が、前記商品識別データを表す手形状であるか否かを判定する判定手段と、撮影した画像に含まれる前記手形状が前記商品識別データを表す前記手形状であると判定した場合、前記手形状が表す前記商品識別データを前記上位機器に送信する送信手段と、を備えたことを特徴とする。
【発明の効果】
【０００７】
本発明にかかる商品データ入力装置は、登録作業時におけるオペレータの心理的・肉体的な作業負担を軽減することができる、という効果を奏する。
【図面の簡単な説明】
【０００８】
【図１】図１は、本発明の実施の形態にかかる商品データ入力装置の外観形態を示す斜視図である。
【図２】図２は、本発明の実施の形態にかかる商品データ入力装置の内部構成を示すブロック図である。
【図３】図３は、本発明の実施の形態にかかる商品データ入力装置が備えるキーボードを示す図である。
【図４】図４は、動作モード間でのモード遷移を示す説明図である。
【図５】図５は、予め登録されたフィンガーサインとキーコードとの対応表を示す図である。
【図６】図６は、フィンガーサインを判定する処理の流れを示すフローチャートである。
【発明を実施するための形態】
【０００９】
以下に添付図面を参照して、この発明にかかる商品データ入力装置の最良な実施の形態を詳細に説明する。
【００１０】
図１は、本発明の実施の形態にかかる商品データ入力装置の外観形態を示す斜視図である。図２は、本発明の実施の形態にかかる商品データ入力装置の内部構成を示すブロック図である。図３は、本発明の実施の形態にかかる商品データ入力装置が備えるキーボードを示す図である。本実施の形態にかかる商品データ入力装置１００は、図１および図２に示すように、画像認識部１０１、タッチパネル１０２、キーボード１０３、およびハブ１０４を備えて構成される。画像認識部１０１、タッチパネル１０２、およびキーボード１０３はそれぞれＵＳＢ（Universal  Serial  Bus）通信規格にてハブ１０４に接続され、ハブ１０４を介して、商品と価格とをＰＬＵ（Price  Look  Up）コード（商品識別データ）に対応付けたＰＬＵテーブル（商品データテーブル）を用いて商品の登録処理などの商品データの処理を行う外部ＰＯＳ（Point  Of  Sale）端末（図示しない）などの上位機器と通信可能な状態となっている。
【００１１】
タッチパネル１０２は、ハブ１０４を介して外部ＰＯＳ端末と双方向通信が可能な状態で接続され、外部ＰＯＳ端末のＧＵＩ（Graphical  User  Interface）として機能する。
【００１２】
キーボード１０３は、図３に示すように、顧客が持ち込んだ同一商品の個数を入力する置数キー１０９、ＰＬＵ（Price  Look  Up）コードを手入力するためのＰＬＵ入力キー１１０、登録した商品の小計の計算を要求する小計キー１１１、登録した商品の現計の計算を要求する預／現計キー１１２、顧客が持ち込んだ商品のうち、産地直送などの理由によりバーコードが印刷または添付されていない商品のＰＬＵコードがプリセットされた複数のプリセットＰＬＵキー１１３などを備え、それぞれのキーが押下された際、各キーに対応したキーコードやＰＬＵコードを、ハブ１０４を介して外部ＰＯＳ端末に送信する。
【００１３】
画像認識部１０１は、ＣＣＤ（Charge  Coupled  Device）カメラ１０５、バーコード認識部１０６、フィンガーサイン認識部１０７、およびスピーカ１０８を備えて構成される。ＣＣＤカメラ１０５は、商品データ入力装置１００を操作するオペレータの手を撮影した画像を、順次、バーコード認識部１０６およびフィンガーサイン認識部１０７に転送する。スピーカ１０８は、バーコード認識部１０６およびフィンガーサイン認識部１０７により制御され、報知音を発するものである。
【００１４】
バーコード認識部１０６は、ＣＣＤカメラ１０５から転送された画像から、商品に付されたバーコード（光学記号）を検出し、検出したバーコードをデコード（復号化）した符号情報である商品を示すバーコード情報（商品データ）を読み取る。そして、バーコード認識部１０６は、読み取ったバーコード情報を、ハブ１０４を介して外部ＰＯＳ端末に送信する。なお、本実施の形態では、バーコード認識部１０６は、ＣＣＤカメラ１０５により撮影された画像から、バーコード情報を読み取っているが、これに限定するものではない。例えば、レーザ走査により、バーコード情報を読み取っても良い。
【００１５】
また、バーコード認識部１０６は、スピーカ１０８に接続され、バーコードのデコードが成立した際（つまり、バーコード情報を読み取った場合）、スピーカ１０８から報知音を発する（出力手段）。さらに、バーコード認識部１０６は、フィンガーサイン認識部１０７に接続され、バーコード情報を読み取った際に、フィンガーサイン認識部１０７にリセット信号を送信する。
【００１６】
フィンガーサイン認識部１０７は、ＣＣＤカメラ１０５から転送された画像に含まれているオペレータの手を検出する。そして、フィンガーサイン認識部１０７は、検出した手のフィンガーサイン（手形状）が、予め登録された複数のフィンガーサインのいずれかに該当するフィンガーサインであるか否かを判定する（判定手段）。
【００１７】
なお、本実施の形態では、フィンガーサイン認識部１０７は、ＣＣＤカメラ１０５から転送された画像を用いて、当該画像に含まれるフィンガーサインが、予め登録された複数のフィンガーサインのいずれかに該当するフィンガーサインであるか否かを判定しているが、これに限定するものではない。バーコード情報を読み取った画像とほぼ同じ領域の画像を撮影可能な他の撮影手段により撮影された画像を用いて、当該画像に含まれるフィンガーサインが、予め登録された複数のフィンガーサインのいずれかに該当するフィンガーサインであるか否かを判定しても良い。
【００１８】
本実施の形態では、フィンガーサイン認識部１０７は、図４に示すように、ＰＬＵコードを表すフィンガーサイン（アーティクルサイン）であるか否かを判定するアーティクルモード（第１モード）、およびアーティクルサインであるか否かを判定せず、アーティクルモードへの遷移を表すフィンガーサイン（トリガーサイン）であるか否かを判定する通常モード（第２モード）の２つの動作モード間で遷移するものである。ここで、トリガーサインおよびアーティクルサインは、いずれも上述したフィンガーサインの一種であり、それぞれのフィンガーサインは予め登録されているものとする。図４は、動作モード間でのモード遷移を示す説明図である。
【００１９】
そして、フィンガーサイン認識部１０７は、通常モードの場合、検出した手のフィンガーサインが、予め登録されたトリガーサインのいずれかに該当するフィンガーサインであるか否かを判定し、検出した手のフィンガーサインが、予め登録されたトリガーサインに該当するフィンガーサインであると判定した場合には、アーティクルモードへと遷移する。なお、フィンガーサイン認識部１０７が通常モードの場合には、予め登録されたトリガーサインに該当するフィンガーサインであるか否かのみ判定する。
【００２０】
一方、フィンガーサイン認識部１０７は、アーティクルモードの場合、検出した手のフィンガーサインが、予め登録されたアーティクルサインのいずれかに該当するフィンガーサインであるか否かを判定し、検出した手のフィンガーサインが、予め登録されたアーティクルサインに該当するフィンガーサインであると判定した場合には、予め登録されたアーティクルサインに該当すると判定したフィンガーサインが表すＰＬＵコードを、ハブ１０４を介して外部ＰＯＳ端末に送信する。本実施の形態では、フィンガーサイン認識部１０７は、手話で用いられる指文字のフィンガーサインをアーティクルサインとして用いているが、これに限定するものではない。
【００２１】
なお、フィンガーサイン認識部１０７がアーティクルモードの場合には、検出した手のフィンガーサインが、予め登録されたアーティクルサインに該当するフィンガーサインであるか否かのみ判定する。また、フィンガーサイン認識部１０７は、バーコード認識部１０６からのリセット信号の受信、または予め登録されたトリガーサインに該当するフィンガーサインであると判定してから所定時間経過後、通常モードへと復帰するものとする。
【００２２】
図５は、予め登録されたフィンガーサインとキーコードとの対応表を示す図である。本実施の形態では、フィンガーサイン認識部１０７は、図５に示すように、予め登録されたフィンガーサイン（トリガーサインおよびアーティクルサイン）と、ＰＬＵコードと、が対応づけられた対応表を予め記憶している。フィンガーサイン認識部１０７は、検出した手のフィンガーサインが、図５に示す対応表に含まれるトリガーサインまたはアーティクルサインに該当するフィンガーサインであるか否かを判定する。そして、検出した手のフィンガーサインが、予め登録されたトリガーサインに該当するフィンガーサインであると判定した場合には、フィンガーサイン認識部１０７は、アーティクルモードへと遷移する。一方、検出した手のフィンガーサインが、予め登録されたアーティクルサインに該当するフィンガーサインであると判定した場合、フィンガーサイン認識部１０７は、図５に示す対応表において、予め登録されたアーティクルサインに該当したフィンガーサインと対応付けられたＰＬＵコードを、ハブ１０４を介して外部ＰＯＳ端末に送信する。
【００２３】
例えば、フィンガーサイン認識部１０７は、検出した手のフィンガーサインが、左手の人差し指のみを立てた形状（フィンガーサイン）のアーティクルサインであると判定した場合、当該アーティクルサインと対応付けられた商品Ａを登録するためのＰＬＵコードを送信する。また、フィンガーサイン認識部１０７は、検出した手のフィンガーサインが、右手の人差し指と中指を立てた形状（フィンガーサイン）のアーティクルサインであると判定した場合、当該アーティクルサインと対応付けられた商品Ｇを登録するためのＰＬＵコードを送信する。
【００２４】
さらに、フィンガーサイン認識部１０７は、スピーカ１０８に接続され、報知音を発する（出力手段）。具体的には、フィンガーサイン認識部１０７は、検出した手のフィンガーサインが、予め登録されたトリガーサインのいずれかに該当するフィンガーサインであると判定した場合、アーティクルモードへと遷移したことを知らせる報知音Ａをスピーカ１０８から発する。これにより、オペレータは、通常モードから抜け、アーティクルモードに遷移したことを認識することができる。
【００２５】
また、フィンガーサイン認識部１０７は、検出した手のフィンガーサインが、予め登録されたアーティクルサインに該当するフィンガーサインであると判定した場合、当該フィンガーサインに従って報知音Ｃをスピーカ１０８から発する。これにより、オペレータは、商品の登録処理が正しく行われたことを認識することができる。例えば、フィンガーサイン認識部１０７は、商品の誤登録を防止するためにフィンガーサインが表すＰＬＵコードにより登録される商品名を読み上げた音声を報知音Ｃとしてスピーカ１０８から出力する。なお、報知音Ｃは、報知音Ａ、後述する報知音Ｂ、およびバーコードのデコードが成立した際に発せられる報知音とは異なるものとする。
【００２６】
さらに、フィンガーサイン認識部１０７は、バーコード認識部１０６からのリセット信号の受信、または予め登録されたトリガーサインに該当するフィンガーサインであると判定してから所定時間経過後、新たなフィンガーサインの読み取りが行われる前に、通常モードへの復帰を知らせる報知音Ｂをスピーカ１０８から発する。これにより、オペレータは、アーティクルモードから抜け、通常モードに復帰したことを認識することができる。なお、報知音Ａ、報知音Ｂ、報知音Ｃ、およびバーコードのデコードが成立した際の報知音は、それぞれ異なるものとする。
【００２７】
次に、図６を用いて、フィンガーサイン認識部１０７においてフィンガーサインを判定する動作シーケンスについて説明する。図６は、フィンガーサインを判定する処理の流れを示すフローチャートである。
【００２８】
フィンガーサイン認識部１０７は、まず、ＣＣＤカメラ１０５から転送された画像を取得する（ステップＳ６０１）。次いで、フィンガーサイン認識部１０７は、取得した画像に含まれるフィンガーサインが、予め登録されたトリガーサインに該当するフィンガーサインであるか否かを判定する（ステップＳ６０２）。フィンガーサイン認識部１０７は、予め登録されたトリガーサインに該当するフィンガーサインでないと判定された場合（ステップＳ６０２：Ｎｏ）、ステップＳ６０１に戻り再びＣＣＤカメラ１０５から転送された画像を取得する。
【００２９】
なお、予め登録されたトリガーサインに該当するフィンガーサインであるか否かの判定は、上述したように、予め登録されているフィンガーサインのモデルとの比較判定により行われるものとする。予め登録されているトリガーサインのモデルとの比較判定には、例えば、顔画像認識などに使用されるHear-like特徴を用いた高速物体検知を利用するものとする（”Paul  Viola  and  Michael  J.  Jones.  Rapid  Object  Detecting  using  a  Boosted  Cascade  of  Simple  Features.”  IEEE  CVPR,  2001.”）。
【００３０】
フィンガーサイン認識部１０７は、予め登録されたトリガーサインに該当するフィンガーサインであると判定した場合（ステップＳ６０２：Ｙｅｓ）、所定時間を計測するためのタイマーをスタートさせるとともに（ステップＳ６０３）。スピーカ１０８から、アーティクルモードに遷移したことを知らせる報知音Ａを出力する（ステップＳ６０４）。なお、報知音Ａは、バーコードのデコードが成立した際に発せられる報知音とは異なる音である。
【００３１】
その後、フィンガーサイン認識部１０７は、バーコード認識部１０６からリセット信号を受信したか否かを判定する（ステップＳ６０５）。そして、フィンガーサイン認識部１０７は、判定の結果、バーコード認識部１０６からリセット信号を受信したと判定した場合（ステップＳ６０５：Ｙｅｓ）、通常モードへの復帰を知らせる報知音Ｂをスピーカ１０８から出力するとともに（ステップＳ６１１）、ステップＳ６０１に戻り再びＣＣＤカメラ１０５から転送された画像を取得する。なお、報知音Ｂは、バーコードのデコードが成立した際に発せられる報知音、および報知音Ａとは異なる音である。
【００３２】
フィンガーサイン認識部１０７は、バーコード認識部１０６からリセット信号を受信していないと判定した場合（ステップＳ６０５：Ｎｏ）、ステップＳ６０３でスタートさせたタイマーにより計測した時間が所定時間を経過したか否かを判定する（ステップＳ６０６）。そして、フィンガーサイン認識部１０７は、判定の結果、タイマーにより計測した時間が所定時間を経過したと判定した場合（ステップＳ６０６：Ｙｅｓ）、報知音Ｂをスピーカ１０８から出力するとともに（ステップＳ６１１）、ステップＳ６０１に戻り再びＣＣＤカメラ１０５から転送された画像を取得する。
【００３３】
フィンガーサイン認識部１０７は、タイマーにより計測した時間が所定時間を経過していないと判定した場合（ステップＳ６０６：Ｎｏ）、ＣＣＤカメラ１０５から転送された新たな画像を取得するとともに（ステップＳ６０７）、取得した画像に含まれているフィンガーサインが、予め登録されたアーティクルサインに該当するフィンガーサインであるか否かを判定する（ステップＳ６０８）。ここで、フィンガーサイン認識部１０７は、取得した画像に含まれているフィンガーサインが、予め登録されたアーティクルサインに該当するフィンガーサインでないと判定した場合（ステップＳ６０８：Ｎｏ）、ステップＳ６０５に戻りバーコード認識部１０６からリセット信号を受信したか否かを判定する。
【００３４】
フィンガーサイン認識部１０７は、取得した画像に含まれているフィンガーサインが、予め登録されたアーティクルサインに該当するフィンガーサインであると判定した場合（ステップＳ６０８：Ｙｅｓ）、当該フィンガーサインが表すＰＬＵコードを、ハブ１０４を介して外部ＰＯＳ端末に送信するとともに（ステップＳ６０９）、報知音Ｃを、スピーカ１０８から出力する（ステップＳ６１０）。
【００３５】
次に、本実施の形態にかかる商品データ入力装置１００の使用状況について説明する。商品データ入力装置１００は、外部ＰＯＳ端末とともにスーパーマーケット等の商品登録・精算に使用される。スーパーマーケットにおける商品登録・精算は、主に商品登録業務と精算業務の２ステップからなり、商品データ入力装置１００は、商品登録業務に使用され、精算業務には使用されない。
【００３６】
商品データ入力装置１００のオペレータは、顧客が持ち込んだ商品を順次手に取り、商品の側面に印刷または添付されているバーコードを画像認識部１０１のＣＣＤカメラ１０５に向けて提示する。画像認識部１０１は、バーコード認識部１０６によりバーコード情報を読み取り、読み取ったバーコード情報を、ハブ１０４を介して外部ＰＯＳ端末に送信する。バーコード情報を受け取った外部ＰＯＳ端末は、受け取ったバーコード情報が示す商品の登録などバーコード情報の処理を行い、商品登録業務を進める。
【００３７】
また、バーコードが印刷または添付されていない商品を顧客が持ち込んだ場合、オペレータは次に述べる方法により商品登録業務を行う。
【００３８】
オペレータは、右手若しくは左手をトリガーサインの形状にして画像認識部１０１のＣＣＤカメラ１０５に向けて提示する。画像認識部１０１は、フィンガーサイン認識部１０７により予め登録されたトリガーサインに該当するフィンガーサインであるか否かを判定し、予め登録されたトリガーサインに該当するフィンガーサインであると判定した場合にはアーティクルモードに遷移したことを知らせる報知音Ａを出力する。アーティクルモードに入ったことを認知したオペレータは、次に、登録した商品に従い右手若しくは左手をアーティクルサインの形状に変更して画像認識部１０１のＣＣＤカメラ１０５に向けて提示する。画像認識部１０１は、フィンガーサイン認識部１０７により予め登録されたアーティクルサインに該当するフィンガーサインであるか否かを判定し、予め登録されたアーティクルサインに該当するフィンガーサインであると判定した場合には、当該アーティクルサインが表すＰＬＵコードを、ハブ１０４を介して外部ＰＯＳ端末に送信する。キーコードを受け取った外部ＰＯＳ端末は、ＰＬＵコードに従い商品の登録処理などの商品データの処理を行う。
【００３９】
このように本実施の形態にかかる商品データ入力装置１００によれば、ＣＣＤカメラ１０５から取得した画像に含まれるフィンガーサインが、予め登録されたアーティクルサインに該当するフィンガーサインであるか否かを判定し、予め登録されたアーティクルサインに該当するフィンガーサインであると判定した場合、当該フィンガーサインが表すＰＬＵコードを、ハブ１０４を介して外部ＰＯＳ端末に送信することにより、スーパーマーケット等の店頭などにおいて、産地直送などの理由によりバーコードが印刷または添付されていない商品が多数存在する場合に、それらの商品の登録作業をＰＬＵ入力キー１１０またはプリセットＰＬＵキー１１３の押下により行う必要がなくなるので、登録作業時におけるオペレータの心理的・肉体的な作業負担を軽減することができる。オペレータは、通常の登録作業から大きく動作を変更することなく、バーコードが印刷または添付されていない商品の登録が可能となる。また、商品が登録されたことを報知音にてオペレータに報知することにより、オペレータは、通常の登録作業から大きく動作を変更することなく商品の登録が行えたことを確認することができる。
【００４０】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４１】
１００  商品データ入力装置
１０５  ＣＣＤカメラ
１０７  フィンガーサイン認識部
【先行技術文献】
【特許文献】
【００４２】
【特許文献１】特開２００２−８１４３号公報
【図１】
2010211735.tif 000003
【図２】
2010211735.tif 000004
【図３】
2010211735.tif 000005
【図４】
2010211735.tif 000006
【図５】
2010211735.tif 000007
【図６】
2010211735.tif 000008